(57)【要約】【課題】  光ファイバケーブルの端末アダプタの構造を単純化しコスト低減を図る。【解決手段】  分岐ダム主幹部３２に螺合した固定ネジ３６はスロット１４の端部を貫いて先端をテンションメンバ１２に当接させている。テンションメンバ１２は、分岐ダム主幹部３２を貫通し、また保持プレート３８も貫通して突出しており、その突出端１２ａには固定金具４０が、かしめによって固着されている。光ファイバケーブル１０に作用する張力は分岐ダム３０から光ファイバケーブル１０を引き抜く力として働くが、突出端部１２ａに固定された固定金具４０が、テンションメンバ１２が分岐ダム主幹部３２側に引き込まれるのを阻み、固定ネジ３６も協働する。これにより、光ファイバケーブル１０に作用する張力をテンションメンバ１２が引き受けることができ、張力によってテープ心線１８（光ファイバ）が破断するのを防止できる。【選択図】  図２
2005091468.tif 000002
【特許請求の範囲】
【請求項１】
一方の端部は光ファイバケーブルの端部に接続され、他方の引出端からは前記光ファイバケーブルの各ファイバ線に結ばれた単芯コードが引き出される分岐ダム主幹部と、
片面を該分岐ダム主幹部の引出端に接触させて配される保持プレートと、
前記分岐ダム主幹部の中心部を貫通し前記保持プレートから突出した前記光ファイバケーブルのテンションメンバの端部に固定されて、該テンションメンバの端部が前記分岐ダム主幹部側に引き込まれるのを阻む固定金具と、
前記分岐ダム主幹部の径方向に沿って前記分岐ダム主幹部に螺合し、先端を前記テンションメンバに当接させる固定ネジと
を備えることを特徴とする光ファイバケーブルの分岐ダム。
【請求項２】
請求項１記載の光ファイバケーブルの分岐ダムにおいて、
前記光ファイバケーブルのスロットが前記分岐ダム主幹部に嵌入しており、
前記固定ネジは該スロットの前記分岐ダム主幹部に嵌入している部分を挿通している
ことを特徴とする光ファイバケーブルの分岐ダム。
【発明の詳細な説明】
【技術分野】
【０００１】
本発明は光ファイバケーブルの技術分野に属し、詳しくは光ファイバケーブルの分岐ダムに関する。
【背景技術】
【０００２】
光通信のための光ファイバは、例えば電話局や放送局からの多芯光ファイバケーブルを電柱や地下トンネルにて配線し、その途中部分に設置されたクロージャ内で多芯光ファイバケーブルを分岐し、別の光ファイバケーブルに接続させ、その先に配されている伝送ノードを介して各加入者と結ばれている。
【０００３】
一般的に幹線ケーブルには数十芯から数百芯の多芯光ファイバケーブルが用いられ、クロージャから伝送ノード間は２〜８芯程度のものが用いられる。
光ファイバケーブルの末端をノードに固定する際には、例えば特開平１０−５４９１２号公報（特許文献１）の図５に示されるように、テンションメンバをノード内の固定金具に固定していた。
【０００４】
しかしながら、筐体内部に固定金具を設けるとノードの小型化を妨げることになるので、特許文献１に開示の技術では、筐体の外部に固定アダプタを取り付けて、その固定アダプタ内に配された固定金具にテンションメンバを固定することで、筐体内部の空間の有効利用を図っている。
【特許文献１】特開平１０−５４９１２号公報（段落００２１〜００４１、図１、２）
【発明の開示】
【発明が解決しようとする課題】
【０００５】
特許文献１に開示の技術は、テンションメンバの固定位置を筐体の外部にすることで筐体内部の空間の有効利用を図っているのだが、固定アダプタの構造が複雑で、コストも高いという問題がある。
【課題を解決するための手段】
【０００６】
請求項１記載の光ファイバケーブルの分岐ダムは、一方の端部は光ファイバケーブルの端部に接続され、他方の引出端からは前記光ファイバケーブルの各ファイバ線に結ばれた単芯コードが引き出される分岐ダム主幹部と、片面を該分岐ダム主幹部の引出端に接触させて配される保持プレートと、前記分岐ダム主幹部の中心部を貫通し前記保持プレートから突出した前記光ファイバケーブルのテンションメンバの端部に固定されて、該テンションメンバの端部が前記分岐ダム主幹部側に引き込まれるのを阻む固定金具と、前記分岐ダム主幹部の径方向に沿って前記分岐ダム主幹部に螺合し、先端を前記テンションメンバに当接させる固定ネジとを備えている。
【０００７】
この分岐ダムにおいては、テンションメンバの端部に固定された固定金具が、テンションメンバの端部が分岐ダム主幹部側に引き込まれるのを阻む。また分岐ダム主幹部に螺合した固定ネジの先端がテンションメンバに当接しているので、固定ネジによってもテンションメンバと分岐ダム主幹部とが連結状態にされる。これらにより、テンションメンバの端部を分岐ダム主幹部に引き込む方向のテンションメンバと分岐ダム主幹部との相対移動が規制される。
【０００８】
つまり、分岐ダムをノード等の筐体に固定すれば、分岐ダムを介してテンションメンバが固定されたことになる。これにより、光ファイバケーブルに作用する張力をテンションメンバが引き受けることができ（光ファイバケーブルの耐張力が確保され）、張力によって光ファイバケーブル内の光ファイバが破断するのを防止できる。
【０００９】
この耐張力は、請求項２記載のように、請求項１記載の光ファイバケーブルの分岐ダムにおいて、前記光ファイバケーブルのスロットが前記分岐ダム主幹部に嵌入しており、前記固定ネジは該スロットの前記分岐ダム主幹部に嵌入している部分を挿通している構成を採用することで、一層高められる。
【発明の効果】
【００１０】
上記の通り、請求項１記載の光ファイバケーブルの分岐ダムを用いれば、テンションメンバを金具等で筐体の内部に固定する必要が無く、ノード等の小型化を妨げない。
しかも、テンションメンバを、固定ネジ及び固定金具と保持プレートとの組合せによって分岐ダム主幹部に固定するという簡単な構成であるから、構造は単純であり、コストも低減できる。
【００１１】
請求項２記載の光ファイバケーブルの分岐ダムは、耐張力が向上するので光ファイバケーブルに作用する張力によって光ファイバが破断するのを一層確実に防止できる。
【発明を実施するための最良の形態】
【００１２】
次に、本発明の実施例により最良の実施形態を説明する。
【実施例】
【００１３】
図１に示すように、光ファイバケーブル１０は、鋼線であるテンションメンバ１２、テンションメンバ１２を芯にしているポリエチレン製のスロット１４、スロット１４のファイバ収容溝１６に挿通されているテープ心線１８、スロット１４の周囲に巻かれた吸水ポリマテープの押さえ巻２０及び外殻となるポリエチレン製のシース２２から構成されている。テープ心線１８は複数本の光ファイバを平行に並べてテープ状にしたものである。この光ファイバケーブル１０自体は公知の物である。
【００１４】
この光ファイバケーブル１０の分岐ダム３０は、図２に示すとおりの構造である。
まず光ファイバケーブル１０の末端部については、シース２２及び押さえ巻２０（図２には示さない）が撤去されて、スロット１４がむき出し状態にされている。また、その先ではスロット１４も切り取られて、テンションメンバ１２のみが延出されている。
【００１５】
むき出し状態にされたスロット１４を含む端部は、ポリエチレン製で丸棒状の分岐ダム主幹部３２の端部に設けられた嵌合孔３４に嵌合し、嵌合孔３４に接着されている。分岐ダム主幹部３２には、その半径方向に沿って固定ネジ３６が螺合しており、固定ネジ３６はスロット１４を貫いて先端をテンションメンバ１２に当接させている。
【００１６】
分岐ダム主幹部３２の他方の端部（引出端）３３には円盤状の板金である保持プレート３８が、その片面を引出端３３に接触させて配されている。
テンションメンバ１２は、分岐ダム主幹部３２の中心部を貫通し、さらに保持プレート３８の中心穴３８ａも貫通して保持プレート３８から突出している。
【００１７】
このテンションメンバ１２の突出端１２ａにはキャップ状の固定金具４０がかぶせられており、固定金具４０はかしめによって突出端１２ａに固着されている。中心穴３８ａの内径は、テンションメンバ１２の径とほぼ等しく、固定金具４０の外径はそれらの径よりも大きいので、固定金具４０が固着された突出端１２ａを分岐ダム主幹部３２側に引き込むことはできない。
【００１８】
なお、図示は省略しているが、分岐ダム主幹部３２には、光ファイバケーブル１０のテープ心線１８の各ファイバ線に結ばれた単芯コード４２の通路が設けられ、また保持プレート３８にも単芯コード４２を通すための穴ないしは切欠きが設けられており、各単芯コード４２は分岐ダム主幹部３２の引出端３３から引き出されている。
【００１９】
そして、この分岐ダム主幹部３２から光ファイバケーブル１０にわたって、熱収縮チューブ４４で覆われている。
図２のように分岐ダム３０が取り付けられた光ファイバケーブル１０の端部は、図３に例示するように、分岐ダム３０を保持する取り付け金具によってノード等の筐体に固定される。また、各単芯コード４２は、その端部に装備しているコネクタ（図示略）によって、ノード内のカプラユニットに接続される。
【００２０】
この図３に示す状態で光ファイバケーブル１０に張力が作用すると、この張力は取り付け金具に保持された分岐ダム３０から光ファイバケーブル１０を引き抜く力として働く。
しかし、分岐ダム３０においては、テンションメンバ１２の突出端１２ａに固定された固定金具４０が、テンションメンバ１２の突出端１２ａが分岐ダム主幹部３２側に引き込まれるのを阻む。
【００２１】
また分岐ダム主幹部３２に螺合した固定ネジ３６が分岐ダム主幹部３２内のスロット１４を貫いて、その先端をテンションメンバ１２に当接しているので、固定ネジ３６によってもスロット１４及びテンションメンバ１２と分岐ダム主幹部３２とが連結状態にされる。
【００２２】
これらにより、テンションメンバ１２の突出端１２ａを分岐ダム主幹部３２に引き込む方向のテンションメンバ１２と分岐ダム主幹部３２との相対移動が規制される。
つまり、分岐ダム３０をノード等の筐体に固定すれば、分岐ダム３０を介してテンションメンバ１２が固定されたことになる。これにより、光ファイバケーブル１０に作用する張力をテンションメンバ１２が引き受けることができ（光ファイバケーブル１０の耐張力が確保され）、張力によって光ファイバケーブル１０に収容されているテープ心線１８（光ファイバ）が破断するのを防止できる。
【００２３】
以上、実施例に従って、本発明の最良の実施形態を説明したが、本発明はこのような実施例に限定されるものではなく、本発明の要旨を逸脱しない範囲でさまざまに実施できることは言うまでもない。
【図面の簡単な説明】
【００２４】
【図１】実施例の光ファイバケーブルの構造説明図であり、（ａ）は斜視図、（ｂ）は横断面図。
【図２】実施例の分岐ダムと光ファイバケーブルとの接続構造の説明図。
【図３】実施例の分岐ダムにて光ファイバケーブルを筐体に接続する場合の例示図。
【符号の説明】
【００２５】
１０・・・光ファイバケーブル、
１２・・・テンションメンバ、
１２ａ・・・突出端、
１４・・・スロット、
１６・・・ファイバ収容溝、
１８・・・テープ心線（光ファイバ）、
３０・・・分岐ダム、
３２・・・分岐ダム主幹部、
３３・・・引出端、
３６・・・固定ネジ、
３８・・・保持プレート、
４０・・・固定金具、
４２・・・単芯コード。
【図１】
2005091468.tif 000003
【図２】
2005091468.tif 000004
【図３】
2005091468.tif 000005